(57)【要約】【課題】精度や安定性の向上を図ることができる計測装置を提供する。【解決手段】計測装置５０は、マイクロ波受信部５２が、粉粒体２に対してマイクロ波送信部５１の後方に配置され、マイクロ波送信部５１およびマイクロ波受信部５２が、いずれも導波箱に囲われている。送信部用導波箱６は、受信部用導波箱８よりも小さく、受信部用導波箱８に囲われている。各導波箱６，８の各開口部７，９は平坦な窓材５に取り付けられて揃えられている。窓材５は粉粒体２に接触している。マイクロ波送信部５１から送信されたマイクロ波３が、粉粒体２で反射し、マイクロ波散乱波４としてマイクロ波受信部５２で受信されて計測される。【選択図】図５
2018004339.tif 000002
【特許請求の範囲】
【請求項１】
送信部から送信されたマイクロ波が、測定対象で反射し、反射波として受信部で受信されて計測される計測装置において、
前記受信部が、測定対象に対して前記送信部の後方に配置された、
ことを特徴とする計測装置。
【請求項２】
前記送信部または前記受信部に、ホーンアンテナまたは導波箱が備えられた、
ことを特徴とする請求項１に記載された計測装置。
【請求項３】
前記送信部および前記受信部に、ホーンアンテナまたは導波箱が備えられた、
ことを特徴とする請求項１に記載された計測装置。
【請求項４】
前記送信部に備えられた前記ホーンアンテナまたは前記導波箱が、前記受信部に備えられた前記ホーンアンテナまたは前記導波箱の内側に配置された、
ことを特徴とする請求項３に記載された計測装置。
【請求項５】
前記送信部に第二受信部が備えられた、
ことを特徴とする請求項１から請求項４のいずれか１項に記載された計測装置。
【発明の詳細な説明】
【技術分野】
【０００１】
本発明は、マイクロ波を用いて測定対象を計測する計測装置に関するものである。
【背景技術】
【０００２】
従来、パルプやボードなどの面状のもの、砂や小麦粉などの粉粒体、チップ、茶葉などの水分を計測する際、マイクロ波による透過型の水分計測装置、または静電容量式の水分計測装置が用いられている。また一部において、マイクロ波による反射型の水分計測装置が砂の水分計測に用いられている。
【０００３】
例えば、下記特許文献１に記載されたマイクロ波水分計は、被測定粉粒体にマイクロ波が照射される領域と同じ領域にγ線を照射し、被測定粉粒体の密度を測定する密度測定部が備えられている。密度測定部に備えられたγ線源はホッパーの内壁から突出している。
【先行技術文献】
【特許文献】
【０００４】
【特許文献１】特開平１１−１４２３５２号公報
【発明の概要】
【発明が解決しようとする課題】
【０００５】
しかし、従来のマイクロ波水分計は上記したとおり、密度測定部に備えられたγ線源がホッパーの内壁から突出しているため、そこに試料が滞留し、いわゆるブリッジが発生する場合がある。したがって、水分計測において、計測の精度や安定性の向上を図ることができていなかった。
【０００６】
また、透過型の水分計測装置で嵩密度を計測して補正するものであってコンベア上の粉粒体を計測するタイプのものは高額である。さらに、レーダー方式のレベル計測において、至近距離を計測することができなかった。また、地中レーダーによる地中構造物の検査やコンクリートの配筋検査においても、計測の精度や安定性の向上を図ることができていなかった。
【０００７】
本発明は、上記の実情に鑑みて提案されたものである。すなわち、反射波を全方位で受信することで、計測の精度や安定性の向上を図ることができる計測装置の提供を目的とする。
【課題を解決するための手段】
【０００８】
上記目的を達成するために、本発明に係る計測装置は、送信部から送信されたマイクロ波が、測定対象で反射し、反射波として受信部で受信されて計測される計測装置において、前記受信部が、測定対象に対して前記送信部の後方に配置された、ことを特徴としている。
【０００９】
本発明に係る計測装置は、前記送信部または前記受信部に、ホーンアンテナまたは導波箱が備えられた、ことを特徴とする。
【００１０】
本発明に係る計測装置は、前記送信部および前記受信部に、ホーンアンテナまたは導波箱が備えられた、ことを特徴とする。
【００１１】
本発明に係る計測装置は、前記送信部に備えられた前記ホーンアンテナまたは前記導波箱が、前記受信部に備えられた前記ホーンアンテナまたは前記導波箱の内側に配置された、ことを特徴とする。
【００１２】
本発明に係る計測装置は、前記送信部に第二受信部が備えられた、ことを特徴とする。
【発明の効果】
【００１３】
本発明に係る計測装置は上記した構成である。すなわち、反射型計測器において、送信部と受信部とを別々にし、受信部が、測定対象に対して送信部の後方に配置されたことで、反射波を全方位で効率よく、かつ、安定して受信することができる。また、送信部と受信部とが別々であるため、例えば、パワー計測、位相計測、ドップラ計測などを組み合わせて行うことができ、計測の安定性を向上させることができる。
【００１４】
本発明に係る計測装置は、送信部や受信部に、アレーアンテナやホーンアンテナなどが備えられている。この構成により、半球全方向からの反射波の方位情報を含めて精度よく計測することができる。また、粉粒体の水分計測においては、全方位からの反射波を受信することができ、計測の精度や安定性の向上を図ることができる。
【００１５】
本発明に係る計測装置は、送信部に第二受信部が備えられている。この構成により、二つの受信部に、例えば、パワー計測、位相計測、ドップラ計測、パルスドップラなどの異なる機能を採用することで、様々なモードの組み合わせによる計測が可能となる。この場合、計測モード切り替えにより、計測対象の厚みや水分を計測したりすることもできる。また、例えば、レベル計測や、その他の至近距離計測、車両の右左折時の巻き込み防止用レーダーなどに利用することが可能となる。さらに、例えば、地中レーダーよる地中構造物の検査や、コンクリートの配筋検査、飛行体に搭載することによる土中の水分分布調査などにおいても、計測の精度および安定性の向上を図ることができる。
【図面の簡単な説明】
【００１６】
【図１】本発明の第一実施形態に係る計測装置の概略正面断面図である。
【図２】本発明の第二実施形態に係る計測装置の概略正面断面図である。
【図３】本発明の第三実施形態に係る計測装置の概略正面断面図である。
【図４】本発明の第四実施形態に係る計測装置の概略正面断面図である。
【図５】本発明の第五実施形態に係る計測装置の概略が示され、（ａ）は概略平面透し図、（ｂ）は概略正面断面図である。
【図６】本発明の第六実施形態に係る計測装置の概略が示され、（ａ）は概略正面断面図、（ｂ）は概略透視斜視図である。
【図７】本発明の第七実施形態に係る計測装置の概略正面断面図である。
【図８】本発明の第八実施形態に係る計測装置の概略正面断面図である。
【発明を実施するための形態】
【００１７】
以下に、本発明の実施形態に係る計測装置を図面に基づいて説明する。計測装置は、マイクロ波応用計測において、後方散乱波を計る反射型計測装置である。計測装置は、マイクロ波送信部とマイクロ波受信部とが備えられ、マイクロ波受信部が測定対象に対してマイクロ波送信部の後方に配置されている。測定対象方向にマイクロ波が送信され、測定対象からの反射波が計測される。計測装置は、レベル計測や水分計測に利用される。なお、以下の説明では、図１において、計測装置から測定対象に向けてマイクロ波が送信される方向を前方とし、マイクロ波が反射する方向を後方とする。
【００１８】
図１に示された第一実施形態に係る計測装置１０は、マイクロ波送信部１１およびマイクロ波受信部１２が、いずれもアレーアンテナである。マイクロ波送信部１１は、測定対象としてのメンブレン／ボード１に対して間を空けて対面している。一方、マイクロ波受信部１２は、メンブレン／ボード１に対してマイクロ波送信部１１よりも離れ、マイクロ波送信部１１の後方に配置されている。マイクロ波受信部１２は、メンブレン／ボード１からの反射波を受信することができる程度に、マイクロ波送信部１１よりも大きく形成されている。マイクロ波送信部１１から送信されたマイクロ波送信波３は、メンブレン／ボード１に当たって反射し、後方散乱波としてマイクロ波散乱波４がマイクロ波受信部１２で受信される。
【００１９】
図２に示された第二実施形態に係る計測装置２０は、マイクロ波送信部２１およびマイクロ波受信部２２が、いずれもアレーアンテナであるが、第一実施形態に係る計測装置１０と異なり、マイクロ波受信部２２がマイクロ波送信部２１ごと受信部用導波箱８に囲われている。受信部用導波箱８は、前方の面が開口して開口部９が形成されている。開口部９は、メンブレン／ボード１に面して近接して配置されている。受信部用導波箱８の内部において、マイクロ波送信部２１は、メンブレン／ボード１に対して間を空けて対面している。一方、マイクロ波受信部２２は、反射波であるマイクロ波散乱波４を受信することができる程度に、マイクロ波送信部２１よりも大きく形成されている。マイクロ波受信部２２は、メンブレン／ボード１に対してマイクロ波送信部２１よりも離れてマイクロ波送信部２１の後方に配置され、受信部用導波箱８の底部に取り付けられている。すなわち、マイクロ波受信部２２は、メンブレン／ボード１に面した部分を除いた周囲が、マイクロ波送信部２１ごと受信部用導波箱８に囲われている。マイクロ波送信部２１から送信されたマイクロ波送信３は、メンブレン／ボード１に当たって反射し、後方散乱波としてマイクロ波散乱波４がマイクロ波受信部２２で受信される。
【００２０】
図３に示された第三実施形態に係る計測装置３０は、マイクロ波受信部３２がアレーアンテナであるが、第一実施形態に係る計測装置１０と異なり、マイクロ波送信部３１がホーンアンテナ３１ａである。ホーンアンテナ３１ａは、メンブレン／ボード１に対してホーン開口部３１ｂが近接して配置されている。一方、マイクロ波受信部３２は、マイクロ波散乱波４を受信することができる程度に、ホーン開口部３１ｂよりも大きく形成されている。マイクロ波受信部３２は、メンブレン／ボード１に対してマイクロ波送信部３１よりも離れ、マイクロ波送信部３１の後方に配置されている。マイクロ波送信部３１から送信されたマイクロ波送信波３は、ホーンアンテナ３１ａ内を伝搬してメンブレン／ボード１に当たって反射し、後方散乱波としてマイクロ波散乱波４がマイクロ波受信部３２で受信される。
【００２１】
図４に示された第四実施形態に係る計測装置４０は、マイクロ波送信部４１がアレーアンテナであるが、第一実施形態に係る計測装置１０と異なり、マイクロ波送信部４１が送信部用導波箱６に囲われており、マイクロ波受信部４２が反射鏡アンテナであると共に受信部用導波箱８に囲われている。送信部用導波箱６の開口部７は、メンブレン／ボード１に面して近接して配置されている。送信部用導波箱６の内部において、マイクロ波送信部４１は、メンブレン／ボード１に対して間を空けて対面し送信部用導波箱６の底部に取り付けられている。すなわち、マイクロ波送信部４１は、メンブレン／ボード１に面した部分を除いた周囲が、送信部用導波箱６に囲われている。一方、マイクロ波受信部４２は、メンブレン／ボード１に対してマイクロ波送信部４１よりも離れ、マイクロ波送信部４１の後方で、かつ、送信部用導波箱６の裏面側に配置されている。また、マイクロ波受信部４２の反射鏡４２ａは、反射波を反射することができる程度に、マイクロ波送信部４１および送信部用導波箱６よりも大きく形成されている。反射鏡４２ａの端は、受信部用導波箱８が取り付けられている。マイクロ波送信部４１から送信されたマイクロ波送信波３は、送信部用導波箱６内を伝搬し、メンブレン／ボード１に当たって反射し、後方散乱波としてマイクロ波散乱波４が受信部用導波箱８内を伝搬して反射鏡４２ａで反射し、マイクロ波受信部４２で受信される。
【００２２】
図５に示された第五実施形態に係る計測装置５０は、マイクロ波送信部５１およびマイクロ波受信部５２が、いずれもアレーアンテナであるが、第一実施形態に係る計測装置１０と異なり、マイクロ波送信部５１およびマイクロ波受信部５２が、いずれも導波箱に囲われている。送信部用導波箱６は、受信部用導波箱８よりも小さく、受信部用導波箱８の内側において受信部用導波箱８に囲われている。各導波箱６，８の各開口部７，９は平坦な窓材５に揃えて取り付けられている。窓材５は、測定対象としての粉粒体２に接触している。送信部用導波箱６の内部において、マイクロ波送信部５１は、粉粒体２に対して間を空けて対面し、送信部用導波箱６の底部に取り付けられている。すなわち、マイクロ波送信部６は、粉粒体２に面した部分を除いた周囲が、送信部用導波箱６に囲われている。一方、マイクロ波受信部５２は、マイクロ波散乱波４を受信することができる程度に、送信部用導波箱６よりも大きく形成されている。マイクロ波受信部５２は、粉粒体２に対してマイクロ波送信部５１よりも離れてマイクロ波送信部５１の後方に配置され、受信部用導波箱８の底部に取り付けられている。すなわち、マイクロ波受信部５２は、粉粒体２に面した部分を除いた周囲が、受信部用導波箱８に囲われている。マイクロ波送信部５１から送信されたマイクロ波送信波３は、送信部用導波箱６内を伝搬し、粉粒体２に当たって反射し、後方散乱波としてマイクロ波散乱波４が受信部用導波箱８内を伝搬してマイクロ波受信部５２で受信される。計測装置５０は、レベル計測や水分計測の他、配筋検査や地中の構造物検査に利用される。計測装置５０によれば、放射口である開口部７の周囲３６０度のマイクロ波散乱波４を効率よく受信することができる。
【００２３】
図６に示された第六実施形態に係る計測装置６０は、第一実施形態に係る計測装置１０と異なり、マイクロ波送信部６１およびマイクロ波受信部６２が、いずれもホーンアンテナである。送信部用ホーンアンテナ６１ａは、受信部用ホーンアンテナ６２ａよりも小さく、受信部用ホーンアンテナ６２ａの内側において受信部用ホーンアンテナ６２ａに囲われている。各ホーンアンテナ６１ａ，６２ａの各ホーン開口部６１ｂ，６２ｂは、平坦な窓材５に揃えて取り付けられている。窓材５は、粉粒体２に接触している。マイクロ波送信部６１から送信されたマイクロ波送信波３は、送信部用ホーンアンテナ６１ａ内を伝搬し、粉粒体２に当たって反射し、後方散乱波としてマイクロ波散乱波４が受信部用ホーンアンテナ６２ａ内を伝搬してマイクロ波受信部６２で受信される。計測装置６０は、レベル計測や水分計測の他、配筋検査や地中の構造物検査に利用される。計測装置６０によれば、放射した半球方向のマイクロ波散乱波４、すなわち、粉粒体２における半球形状を中心とした領域１００において反射したマイクロ波散乱波４を効率よく受信することができる。
【００２４】
図７に示された第七実施形態に係る計測装置７０は、第一実施形態に係る計測装置１０と異なり、マイクロ波送信部７１およびマイクロ波受信部７２が、いずれもホーンアンテナである。送信部用ホーンアンテナ７１ａは、受信部用ホーンアンテナ７２ａよりも小さく、受信部用ホーンアンテナ７２ａの内側において受信部用ホーンアンテナ７２ａに囲われている。各ホーンアンテナ７１ａ，７２ａの各ホーン開口部７１ｂ，７２ｂは平坦な窓材５に揃えて取り付けられている。窓材５は、メンブレン／ボード１から離れて配置されている。マイクロ波送信部７１から送信されたマイクロ波送信波３は、送信部用ホーンアンテナ７１ａ内を伝搬し、メンブレン／ボード１に当たって反射し、後方散乱波としてマイクロ波散乱波４が受信部用ホーンアンテナ７２ａ内を伝搬してマイクロ波受信部７２で受信される。計測装置７０は、レベル計測や水分計測の他、配筋検査や地中の構造物検査に利用される。
【００２５】
図８に示された第八実施形態に係る計測装置８０は、第一実施形態に係る計測装置１０と異なり、マイクロ波送信部８１およびマイクロ波受信部８２が、いずれもホーンアンテナである。送信部用ホーンアンテナ８１ａは、受信部用ホーンアンテナ８２ａよりも小さく、受信部用ホーンアンテナ８２ａの内側において受信部用ホーンアンテナ８２ａに囲われている。各ホーンアンテナ８１ａ，８２ａの各ホーン開口部８１ｂ，８２ｂは揃えられ、測定対象としての土・植物２ａなどから離れて配置されている。マイクロ波送信部８１から送信されたマイクロ波送信波３は、送信部用ホーンアンテナ８１ａ内を伝搬し、土・植物２ａに当たって反射し、後方散乱波としてマイクロ波散乱波４が受信部用ホーンアンテナ８２ａ内を伝搬してマイクロ波受信部８２で受信される。計測装置８０は、レベル計測や水分計測の他、飛行体に搭載して土中の水分分布等を調査することができる。計測装置８０によれば、放射した半球方向のマイクロ波散乱波４、すなわち、土・植物２ａにおける半球形状を中心とした領域において反射したマイクロ波散乱波４を効率よく受信することができる。なお、第八実施形態によれば、計測装置８０が土・植物２ａから離れて配置されるにつれて、土・植物２ａに対して、円盤状の領域において反射したマイクロ波散乱波４が受信される。
【００２６】
なお、上記した各実施形態において、アレーアンテナの素子の配列は、リニアまたは平面のいずれであってもよい。ホーンアンテナは、例えば、ストレートホーン、ステップ形、マルチフレア形、フレアアイリス形、誘電体装荷形などであり、角錐または円錐のいずれであってもよい。反射鏡アンテナは、例えば、パラボラ、オフセットパラボラ、ホーンリフレクタなどである。また、送信部用導波箱および受信部用導波箱は、方形または円形のいずれであってもよい。また、メンブレン／ボード１の大きさや厚み、粉粒体２の容器の形状や大きさは任意である。
【００２７】
上記したとおり、各実施形態によれば、反射型計測器としてマイクロ波送信部１１，２１，３１，４１，５１，６１，７１，８１とマイクロ波受信部１２，２２，３２，４２，５２，６２，７２，８２とを個別とし、マイクロ波受信部１２，２２，３２，４２，５２，６２，７２，８２が、メンブレン／ボード１や粉粒体２に対してマイクロ波送信部１１，２１，３１，４１，５１，６１，７１，８１の後方に配置されたことで、マイクロ波散乱波４を全方位で効率よく、かつ、安定して受信することができる。また、マイクロ波送信部１１，２１，３１，４１，５１，６１，７１，８１とマイクロ波受信部１２，２２，３２，４２，５２，６２，７２，８２とが別々であるため、例えば、パワー計測、位相計測、ドップラ計測などを組み合わせて行うことができ、計測の安定性を向上させることができる。さらに、アレーアンテナやホーンアンテナなどを用いることにより、半球全方向からの反射波の方位情報を含めて精度よく計測することができる。特に、粉粒体２の水分計測においては、全方位からのマイクロ波散乱波４を受信することができ、計測の精度や安定性の向上を図ることができる。
【００２８】
また、上記した各実施形態において、マイクロ波送信部１１，２１，３１，４１，５１，６１，７１，８１にマイクロ波第二受信部（図示省略）が備えられていてもよい。すなわち、マイクロ波受信部１２，２２，３２，４２，５２，６２，７２，８２とマイクロ波第二受信部とで異なる機能を採用することで、例えば、パワー計測、位相計測、ドップラ計測、パルスドップラなどの様々なモードの組み合わせによる計測が可能となる。この場合、計測モード切り替えにより、メンブレン／ボード１や粉粒体２の厚みや水分を計測したりすることもできる。また、例えば、レベル計測において、至近距離、車両の右左折時の巻き込み防止用レーダーなどに利用することが可能となる。さらに、例えば、地中レーダーよる地中構造物の検査や、コンクリートの配筋検査、飛行体に搭載することによる土中の水分分布調査などにおいても、精度および安定性の向上を図ることができる。
【００２９】
さらに、γ線の反射型密度計（図示省略）と組み合わせることにより、嵩密度補正をかけることが可能となる。また、γ線の反射型密度計と組み合わせることにより微弱線源で精度よく安定した計測が可能となる。
【００３０】
以上、本発明の実施形態を詳述したが、本発明は上記実施形態に限定されるものではない。そして本発明は、特許請求の範囲に記載された事項を逸脱することがなければ、種々の設計変更を行うことが可能である。例えば、製粉、製茶、化学、紙パルプ、鉄鋼、非鉄、建材、コンクリートプラント、土木現場、農業、穀物、紙やボードなどの面状物、砂や小麦粉などの粉粒体、チップ、茶葉などの水分計測、液面などのレベル計測や地中探査、土壌水分の計測、至近距離のレーダー計測に利用することが出来る。
【符号の説明】
【００３１】
１                  メンブレン／ボード（測定対象）
２                  粉粒体（測定対象）
２ａ                土・植物（測定対象）
３                  マイクロ波送信波
４                  マイクロ波散乱波
５                  窓材
１０，２０，３０，４０，５０，６０，７０，８０  計測装置
１１，２１，３１，４１，５１，６１，７１，８１  マイクロ波送信部
１２，２２，３２，４２，５２，６２，７２，８２  マイクロ波受信部
６                  送信部用導波箱
７                  開口部
８                  受信部用導波箱
９                  開口部
３１ａ              ホーンアンテナ
３１ｂ              ホーン開口部
４２ａ              反射鏡
６１ａ，７１ａ，８１ａ送信部用ホーンアンテナ
６１ｂ，７１ｂ      送信部用ホーン開口部
６２ａ，７２ａ，８２ａ  受信部用ホーンアンテナ
６２ｂ，７２ｂ      受信部用ホーン開口部
１００              領域
【図１】
2018004339.tif 000003
【図２】
2018004339.tif 000004
【図３】
2018004339.tif 000005
【図４】
2018004339.tif 000006
【図５】
2018004339.tif 000007
【図６】
2018004339.tif 000008
【図７】
2018004339.tif 000009
【図８】
2018004339.tif 000010